(57)【要約】      （修正有）【課題】一定の条件でケーシング内における磁石部材の着磁部の磁力を測定することを可能とすることにより、センサスイッチの品質の安定性を確保できる磁石使用センサスイッチの磁力測定装置を提供する。【解決手段】ケーシング１０内に磁石部材２０と磁力センサ５０とを封入した状態で設置し、この磁力部材の着磁部と前記磁力センサ５０との磁力相互作用によって作動する磁石使用センサスイッチにおいて、前記ケーシング１０の外壁面に嵌挿凹部７０を形成し、この嵌挿凹部７０と前記磁石部材２０の着磁部とを対向可能とするとともに前記嵌挿凹部７０に磁力測定機のプローブ８１を嵌挿可能にした磁石使用センサスイッチの磁力測定装置である。【選択図】図１
0003177259.tif 000002
【実用新案登録請求の範囲】
【請求項１】
ケーシング内に磁石部材と磁力センサとを封入した状態で設置し、この磁力部材の着磁部と前記磁力センサとの磁力相互作用によって作動する磁石使用センサスイッチにおいて、前記ケーシングの外壁面に嵌挿凹部を形成し、この嵌挿凹部と前記磁石部材の着磁部とを対向可能とするとともに前記嵌挿凹部に磁力測定機のプローブを嵌挿可能にしたことを特徴とする磁石使用センサスイッチの磁力測定装置。
【請求項２】
前記嵌挿凹部と前記磁石部材の着磁部との距離を前記磁力センサと同着磁部との距離に略一致させたことを特徴とする請求項１の磁石使用センサスイッチの磁力測定装置。
【請求項３】
前記嵌挿凹部を前記磁石部材の着磁部と前記磁力センサとの間に配置したことを特徴とする請求項１又は請求項２の磁石使用センサスイッチの磁力測定装置。
【考案の詳細な説明】
【技術分野】
【０００１】
この考案は磁石使用センサスイッチの磁力測定装置に関し、ケーシング内の着磁部の磁力をケーシング外から測定する場合に使用される。
【０００２】
従来におけるこの種のセンサスイッチにおいては、磁石部材をケーシング内に組み付ける前に、この磁石部材の着磁部の磁力を測定していたにすぎず、組み付け後においてケーシングの外側から磁力測定をしていないのが現状であった。
【０００３】
【特許文献１】特開２０１１−１２１５２９号公報
【考案の開示】
【考案が解決しようとする課題】
【０００４】
ところで、前記組み付け後においても、磁力測定装置を使用して、前記磁力部材の着磁部の磁力をケーシング外から測定することも考えられたが、測定箇所によって測定値が異なる結果、一定の基準で磁力を測定することができず、よって、当該センサスイッチの品質の安定性を確保することは難しかった。
【０００５】
このため、この種のセンサスイッチにあっては、微妙な判定で判断せざるを得ず、この結果、合格品の基準が狭くなり、良品率の低下による生産性の低下を招かざるを得ないという不都合を有した。
【０００６】
この不都合を解消することがこの考案の課題である。
【課題を解決するための手段】
【０００７】
前記課題を達成するために、この考案に係る磁石使用センサスイッチの磁力測定装置においては、ケーシング内に磁石部材と磁力センサとを封入した状態で設置し、この磁力部材の着磁部と前記磁力センサとの磁力相互作用によって作動する磁石使用センサスイッチにおいて、前記ケーシングの外壁面に嵌挿凹部を形成し、この嵌挿凹部と前記磁石部材の着磁部とを対向可能とするとともに前記嵌挿凹部に磁力測定機のプローブを嵌挿可能にしたものである。
【０００８】
この場合、前記嵌挿凹部と前記磁石部材の着磁部との距離を前記磁力センサと同着磁部との距離に略一致させることもできる。
【０００９】
また、前記嵌挿凹部を前記磁石部材の着磁部と前記磁力センサとの間に配置することもできる。
【考案の効果】
【００１０】
この考案に係る磁石使用センサスイッチの磁力測定装置は上記のように構成されているため、即ち、ケーシング内に磁石部材と磁力センサとを封入した状態で設置し、この磁力部材の着磁部と前記磁力センサとの磁力相互作用によって作動する磁石使用センサスイッチにおいて、前記ケーシングの外壁面に嵌挿凹部を形成し、この嵌挿凹部と前記磁石部材の着磁部とを対向可能とするとともに前記嵌挿凹部に磁力測定機のプローブを嵌挿可能にしたため、一規格の前記センサスイッチにおいて前記嵌挿凹部の位置をきめておけば、この嵌挿凹部に磁力測定機のプローブを嵌めることによって、同じ条件でケーシング内における磁石部材の着磁部の磁力を測定することができる。
【００１１】
よってこの考案に係る磁石使用センサスイッチを使用すれば、一定の基準で磁力を測定することができるため、当該センサスイッチの品質の安定性を確保することができる。この結果、合格品の基準が明確になり、必要以上の判断で判定した従来と異なり、合格品の基準は広くなり良品率の向上を図ることができるものである。
【００１２】
この場合、前記嵌挿凹部と前記磁石部材の着磁部との距離を前記磁力センサと同着磁部との距離に略一致させれば、磁力センサと同じ条件で前記着磁部の磁力を測定することができるため、当該センサスイッチの信頼性を確認することができる。
【００１３】
また、前記嵌挿凹部を前記磁石部材の着磁部と前記磁力センサとの間に配置すれば、磁力部材における着磁部と磁力センサとの間の磁力の流れを検出することが」できるため、当該センサスイッチが実際に作動するか否かを確認することができる。
【００１４】
この考案に係る磁石使用センサスイッチの磁力測定装置を実施するにあたって次の特徴を有する。
【００１５】
「磁力部材の着磁部と磁力センサとの磁力相互作用」とは、磁石部材又は/及び磁力センサが移動し、その移動した位置で前記着磁部の磁力を前記磁力センサが検出する磁力の作用のことである。
【００１６】
「磁石部材」とは、全体的又は部分的に着磁されている部材、例えば、部分的に着磁されている振り子等が該当する。
【００１７】
「磁石使用センサスイッチ」には、磁石部材と磁力センサとの磁力相互作用によって作動するセンサスイッチの全てが該当する。例えば、傾斜センサスイッチである。
【００１８】
「嵌挿凹部」には、単なる凹み以外に洞窟状にケーシング内に侵入した凹みも含まれる。
【実施例】
【００１９】
以下、この考案の実施例を図面に基づいて説明する。
【００２０】
図１はこの考案に係る磁石使用センサスイッチの磁力測定装置の第１実施例の断面図、図２は図１におけるII矢視斜視図、図３は同第２実施例の断面図、図４は図３におけるIV矢視斜視図である。
【００２１】
図１において、Ａは車両用転倒センサスイッチ（この考案の「磁石使用センサスイッチ」に相当する）、１０はそのケーシングである。このケーシング１０は有底筒状をしている。１１はスペーサであり、前記ケーシング１０に内嵌め固定されている。このスペーサ１１は合成樹脂製であり、前記ケーシング１０内において、前記車両用転倒センサスイッチＡに必要な部品を取り付けるための
１２は支持片であり、前記スペーサ１１の両端に一対突設されている（片方のみ図示）。この支持片１２は前記ケーシング１０の底部方向に延びている。１３は揺動軸であり、前記支持片１２，１２に架け渡されている。
また、２０はフェライト製振り子（この考案の「磁石部材」に相当する）であり、この揺動軸１３に吊り下げられた状態で嵌着されている。この振り子２０は略半円盤状であり、その中心部に前記揺動軸１３が位置している。このため、前記振り子２０はその重量によって前記揺動軸１３を中心として左右へ略１８０度の範囲で揺動する。
２１は着磁部であり、前記振り子２０の右側周面部に形成されている。なお、着磁にあたっては通常の方法が用いられる。
次に、３０はプリント基板であり、前記スペーサ１１に固定されている。このプリント基板３０は一対の支持片１２の間に位置している。
５０は磁力ＩＣセンサ（この考案の「磁力センサ」に相当する）であり、前記プリント基板３０の表面に固定されている。この磁力ＩＣセンサ５０は前記振り子２０の着磁部２１と対向している。
６１，６２，６３は３本の端子であり、前記スペーサ１１を貫通している。これらの端子６１，６２，６３は前記プリント基板３０からケーシング１０の開口部まで延びている。６４はゴム製の環状シール部、６５は中キャップである。
図１及び図２において、７０は嵌挿凹部であり、前記ケーシング１０の外壁面に形成されている。この嵌挿凹部７０は前記振り子２０の軌道に対向して延びている。この場合、前記嵌挿凹部７０と前記振り子２０の着磁部２１との最短距離（図１の状態から１８０度回転した状態）を前記磁力ＩＣセンサ５０と同着磁部２１との最短距離に略一致させれば、磁力ＩＣセンサ５０と同じ条件で前記着磁部２１の磁力を測定することができる。なお、この嵌挿凹部７０に磁力測定機８０のプローブ８１を嵌挿することによって前記着磁部２１の磁力を測定する。
【００２２】
図３及び図４は第２実施例を示したものであり、前記嵌挿凹部７０を前記ケーシング１０の外壁面に洞窟状に設けたものである。この嵌挿凹部７０は前記振り子２０の着磁部２１と前記磁力ＩＣセンサ５０との間に配置されている。このようにすれば、前記振り子２０の着磁部２１と磁力ＩＣセンサ５０との間の磁力の流れを検出することができる。
【産業上の利用可能性】
【００２３】
この考案に係る磁石使用センサスイッチの磁力測定装置は、一規格の前記センサスイッチにおいて前記嵌挿凹部の位置をきめておけば、この嵌挿凹部に磁力測定機のプローブを嵌めることによって、同じ条件でケーシング内における磁石部材の着磁部の磁力を測定することができる。一定の基準で磁力を測定することができるため、当該センサスイッチの品質の安定性を確保することができる。この結果、合格品の基準が明確になり、必要以上の判断で判定した従来と異なり、合格品の基準は広くなり良品率の向上を図ることができるものである。よって、産業上の利用可能性は高いものである。
【図面の簡単な説明】
【００２４】
【図１】図１はこの考案に係る磁石使用センサスイッチの磁力測定装置の第１実施例の断面図である。
【図２】図２は図１におけるII矢視斜視図である。
【図３】図３は同第２実施例の断面図である。
【図４】図４は図３におけるIV矢視斜視図である。
【符号の説明】
【００２５】
Ａ  …  車両用転倒センサスイッチ（この考案の「磁石使用センサスイッチ」に相当）
１０  …  ケーシング
１１  …  スペーサ
１２  …  支持片
１３  …  揺動軸
２０  …  フェライト製振り子（この考案の「磁石部材」に相当）
２１  …  着磁部
３０  …  プリント基板
５０  …  磁力ＩＣセンサ（この考案の「磁力センサ」に相当）
６１，６２，６３  …  ３本の端子
６４  …  ゴム製の環状シール部
６５  …  中キャップ
７０  …  嵌挿凹部
８０  …  磁力測定機
８１  …  プローブ
【図１】
0003177259.tif 000003
【図２】
0003177259.tif 000004
【図３】
0003177259.tif 000005
【図４】
0003177259.tif 000006